【事件の表示】
　特願２００３−　４４２７４「有機電界発光素子及びその製造方法」拒絶査定不服審判事件〔平成１５年　９月１２日出願公開、特開２００３−２５７６６７〕について、次のとおり審決する。
【結　論】
　本件審判の請求は、成り立たない。
【理　由】
１．手続の経緯及び本願発明
　本願は、平成１５年２月２１日（パリ条約による優先権主張２００２年２月２２日、大韓民国）の出願であって、平成１９年５月２５日付けで手続補正がなされ、平成１９年８月３１日付けで拒絶査定がなされ、これに対して平成１９年１２月４日に審判請求がなされるとともに、平成１９年１２月２０日付けで手続補正がなされたものである。
　本願の特許請求の範囲の請求項１乃至２０に係る発明は、平成１９年１２月２０日付けの手続補正書により補正された明細書及び図面の記載からみて、その請求項１乃至２０に記載されたとおりのものと認められるところ、その請求項１に記載された発明（以下、「本願発明」という。）は次のとおりのものである。
　
「第１基板と；
　前記第１基板に近接して一定間隔離隔していて、前記第１基板と一緒に複数個のサブピクセル領域からなるピクセル領域を有する第２基板と；
　前記第１基板上部に形成されていて、前記各サブピクセル領域に形成される複数個のスイッチング素子を含む複数個のアレー素子と；
　前記第２基板上部に形成された、透明導電性物質からなる第１電極と；
　前記第１電極上部に形成される有機電界発光層と；
　前記有機電界発光層上部の前記各サブピクセル領域に形成される第２電極と；
　前記第１基板、第２基板間の周辺部に沿って形成されるシールパターンと；
　前記各サブピクセル領域に形成され、前記第２電極とスイッチング素子を電気的に連結する連結パターンと；
　前記スイッチング素子の電極パターンから延長されて、前記連結パターンと直接的に接触する接触電極と；
　前記シールパターンと近接した内部で、前記第１基板、前記第２基板のうちのいずれか一つの基板に前記シールパターンと平行した柱状に形成された吸湿剤を含むことを特徴とする有機電界発光素子。」
　　
　なお、平成１９年１２月２０日付けの補正は、その補正前の請求項１を削除し、該請求項１を引用する請求項２２及び該請求項２２を引用する請求項２３に記載される事項を、新たに請求項１とするものであるから、この補正は、平成１８年改正前特許法第１７条の２第４項第１号の請求項の削除を目的とするものに該当する。
　
２．引用例
　これに対して、原査定の拒絶理由に引用された特開２００１−１１７５０９号公報（以下、「引用例１」という。）、及び、同じく特開２００１−３５６６３号公報（以下、「引用例２」という。）には、以下の事項が記載されている。
　
ａ．引用例１；
　
　有機ＥＬ表示装置に関するもので、
記載事項ア．【特許請求の範囲】【請求項１】【請求項２】
「【請求項１】有機ＥＬ材料を用いた表示装置において、当該装置がＥＬ素子の駆動を行うアクティブマトリックスの駆動基板と、ＥＬ素子の発光を行うＥＬ素子基板とを貼り合わせた構造を有することを特徴とする有機ＥＬ表示装置。
【請求項２】請求項１記載の装置において、前記アクティブマトリックスの駆動基板に薄膜トランジスタが用いられることを特徴とする有機ＥＬ表示装置。」
　
記載事項イ．【００１０】
「そこで本発明の目的は、前述の従来の問題点を解決し、アクティブマトリックス駆動によるメモリ効果を保持しつつ、発光素子の開口率向上による発光輝度の改善のはかれる有機ＥＬ表示装置を提供せんとするものである。」
　
記載事項ウ．【００１４】〜【００１６】
「【００１４】
【実施例】以下添付図面を参照し、実施例により本発明の実施の形態を詳細に説明する。図２に本発明有機ＥＬ表示装置の具体的実施例に係る一形態の構造断面図を示す。第１ガラス基板１上にはアクティブマトリックス回路を構成するＴＦＴが作製されている。図２において、１は第１ガラス基板、２はモリブデン−タンタル合金またはアルミのゲート電極、３は窒化シリコンの第１（ゲート）絶縁膜、４はアモルファスシリコンの半導体層、５はチタンまたはアルミのソース電極、６はチタンまたはアルミのドレイン電極、７は窒化シリコンの第２絶縁膜、８はソース電極５と電気的に導通され画素ごとに独立して設けられたアルミの画素電極であり、９はアルミの遮光膜である。この画素電極８上には柱状構造のインジウム柱１０を蒸着法とリフトオフ法またはメッキとリフトオフ法により形成する。
【００１５】一方、１１の第２ガラス基板上には１２の透明電極（ＩＴＯ）膜を形成し、さらに１３の有機ＥＬ発光層を作製し、更にその上に単位画素ごとに分離したＥＬ素子の陰極用金属電極１４をパターンニングする。それら２枚のガラス基板について、画素電極８と、ＥＬ素子の陰極用金属電極１４との位置合わせを行いながら、インジウム柱１０を糊として使用しプレスすることで貼り合わせる。
【００１６】従って、ＥＬ素子の発光は、ＴＦＴ側ではなく有機ＥＬ発光層側（図２の上部側）から取り出される。この時、陰極用金属電極１４の１つ１つはＥＬ表示装置の単位画素に相当し、画素分離できる最小の間隔でパターンニングすることにより有機ＥＬディスプレイの開口率をほぼ１００％にまで高めることができる。」
　
　前記記載事項ア．ないし記載事項ウ．の記載からして、引用例１には、
「アクティブマトリックス回路を構成するＴＦＴが作製されている第１ガラス基板１上に、ソース電極５と電気的に導通され画素ごとに独立して設けられた画素電極８が設けられており、一方、第２ガラス基板１１上には透明電極（ＩＴＯ）膜１２を形成し、さらに有機ＥＬ発光層１３を作製し、更にその上に単位画素ごとに分離したＥＬ素子の陰極用金属電極１４がパターンニングされており、それら２枚のガラス基板について、画素電極８と、ＥＬ素子の陰極用金属電極１４との位置合わせを行いながら、柱状構造のインジウム柱１０を糊として使用しプレスすることで貼り合わせた構造を有する有機ＥＬ表示装置。」の発明（以下、「引用発明」という。）が記載されているといえる。
　
ｂ．引用例２；
　
　有機エレクトロルミネッセンス素子表示装置に関するもので、
記載事項エ．【００２１】
「【発明の実施の形態】以下に、本発明による実施例を図面を参照しつつ説明する。図３に、アクティブマトリクス駆動方式による実施例の有機ＥＬ素子表示装置における表示パネルの一部を示す。この表示パネル１０９は、透明な表示基板上に、マトリクス状に配置されかつ各々が赤色Ｒ、緑色Ｇ及び青色Ｂの３つの発光部（有機ＥＬ素子）からなる発光画素１１１の複数からなる画像表示配列を有している。画素１つの発光部当たり、２個のＦＥＴ１０、１１及びコンデンサ３００からなるスイッチング回路と、有機ＥＬ素子２００とから構成される。このような発光部組合せユニットが各画素ごとに全画素数の数だけ集積され、マトリクス状に配置された複数の発光画素からなる画像表示配列の有機ＥＬ素子表示装置の表示側の基板が形成されている。」
　
３．対比
　本願発明と引用発明とを対比する。
　
（ａ）引用発明の対象である「有機ＥＬ表示装置」は、本願発明の対象である「有機電界発光素子」に相当する。
　
（ｂ）引用発明の「第１ガラス基板１」、「第２ガラス板１１」は、本願発明の「第１基板」、「第２基板」に相当する。
　また、引用発明の「第２ガラス板１１（第２基板）」は、その図２の記載からして、第１ガラス基板１（第１基板）に近接して一定間隔離隔していることは、明らかである。
　
（ｃ）引用発明の「第１ガラス基板１上に作製されているアクティブマトリックス回路を構成するＴＦＴ」は、本願発明の「第１基板上部に形成されているスイッチング素子」に相当する。
　また、引用発明の「第１ガラス基板１上に作製されているものである、前記ＴＦＴと、ソース電極５と電気的に導通され画素ごとに独立して設けられた画素電極８とを含むもの」は、本願発明の「第１基板上部に形成されていて、スイッチング素子を含むアレー素子」に相当する。
　さらに、前記画素電極８は、画素ごとに独立して設けられているのであるから、引用発明は、前記画素電極８を含むアレー素子が複数個存在すること、及び該アレー素子が複数個存在することに伴って前記ＴＦＴ（スイッチング素子）が複数個存在することは明らかである。
　
（ｄ）引用発明の「第２ガラス基板１１上に形成された透明電極（ＩＴＯ）膜１２」は、本願発明の「第２基板上部に形成された、透明導電性物質からなる第１電極」に相当する。
　
（ｅ）引用発明の「透明電極（ＩＴＯ）膜１２上に作製された有機ＥＬ発光層１３」は、本願発明の「第１電極上部に形成される有機電界発光層」に相当する。
　
（ｆ）引用発明の「有機ＥＬ発光層１３上にパターンニングされた単位画素ごとに分離したＥＬ素子の陰極用金属電極１４」は、本願発明の「有機電界発光層上部に形成される第２電極」に相当する。
　
（ｇ）引用発明の「柱状構造のインジウム柱１０」は、陰極用金属電極１４と、ＴＦＴと電気的に導通する画素電極８とを電気的に連結する作用を有するものであるから、本願発明の「第２電極とスイッチング素子を電気的に連結する連結パターン」に相当する。
　
（ｈ）引用発明の「画素電極８」は、インジウム柱１０と直接的に連結しているから、本願発明の「連結パターンと直接的に接触する接触電極」に相当する。
　
　前記（ａ）乃至（ｈ）に記載したことからして、本願発明と引用発明の両者は、
「第１基板と；
　前記第１基板に近接して一定間隔離隔していて、前記第１基板と一緒にピクセル領域を有する第２基板と；
　前記第１基板上部に形成されていて、複数個のスイッチング素子を含む複数個のアレー素子と；
　前記第２基板上部に形成された、透明導電性物質からなる第１電極と；
　前記第１電極上部に形成される有機電界発光層と；
　前記有機電界発光層上部に形成される第２電極と；
　前記ピクセル領域に形成され、前記第２電極とスイッチング素子を電気的に連結する連結パターンと；
　前記スイッチング素子と電気的に導通されており、前記連結パターンと直接的に接触する接触電極と；
　を含む有機電界発光素子。」
である点で一致し、次の相違点が存在する。
　
相違点（１）；
　本願発明は、第２基板に複数個のサブピクセル領域を有しており、スイッチング素子が各サブピクセル領域ごとに形成されているのに対して、引用発明は、サブピクセルではなく画素の領域を有しており、スイッチング素子が画素ごとに形成されている点。
　
相違点（２）；
　第２電極とスイッチング素子を電気的に連結する連結パターンが、本願発明は、各サブピクセル領域に形成されるのに対して、引用発明は、そのようなものではない点。
　
相違点（３）；
　スイッチング素子と電気的に導通されている接触電極が、本願発明は、スイッチング素子の電極パターンから延長されているのに対して、引用発明は、延長されていない点。
　
相違点（４）；
　本願発明は、第１基板、第２基板間の周辺部に沿って形成されるシールパターンと、前記シールパターンと近接した内部で、第１基板、第２基板のうちのいずれか一つの基板にシールパターンと平行した柱状に形成された吸湿剤とを含むのに対して、引用例１には、そのような構成が明示されていない点。
　
４．当審の判断
　前記相違点（１）乃至（４）について検討する。
　
相違点（１）について；
　
　引用例２に示されるように、有機電界発光素子表示装置の技術分野において、アクティブマトリクス駆動方式の表示装置の画素として、ＲＧＢ三色のサブピクセル領域を形成し、各サブピクセル領域ごとにスイッチング素子を設けることは本願出願前周知の技術である。
　したがって、引用発明において、前記周知の技術を採用して、相違点（１）に係る本願発明の構成を得ることは当業者が容易になし得ることである。
　
相違点（２）について；
　
　引用発明に相違点（１）に係る本願発明の構成を採用した際に、第２電極とスイッチング素子を電気的に連結する連結パターンとして、各サブピクセル領域に形成される構成を採用することは、当然に必要なことである。
　したがって、相違点（２）に係る本願発明の発明特定事項は、格別のことではない。
　
相違点（３）について；
　
　有機電界発光素子の技術分野において、前記連結パターンと接続された接触電極を、スイッチング素子の電極パターンから延長されるように形成することは、原査定の備考欄に周知例として引用された特開平１０−３３３６０１号公報の図３、図７に記載されているように本願出願前知られたことである。
　してみると、引用発明において、前記周知例に記載された技術を採用して、相違点（３）に係る本願発明の構成を得ることは当業者が容易になし得ることである。
　
相違点（４）について；
　
　有機電界発光素子の技術分野において、対向する２つの基板を接着する際に、対向する２つの基板間の周辺部に沿ってシールパターンを設け、さらにシールパターンと近接した内部で、前記対向する２つの基板のうちのいずれか一つの基板にシールパターンと平行するように吸湿剤を設けることは、本願出願前周知の技術である（例えば、特開２０００−２０８２５２号公報の段落【００５９】、図１及び２、特開２０００−３０６６６４号公報の段落【００２８】、図５及び６を参照。）。
　さらに、「吸湿剤」を「柱状」に形成することは、当業者が適宜なし得る設計的事項にすぎず、柱状に形成することによる効果も格別のものとは認められない。
　したがって、引用発明において、前記周知の技術を採用して、相違点（４）に係る本願発明の構成を得ることは当業者が容易になし得ることである。
　
　本願発明によってもたらされる作用・効果についても、引用例１及び２の記載、及び前記周知の技術から予測される範囲内のもので、格別のものではない。
　
　したがって、本願発明は、引用例１及び２に記載された発明と前記周知の技術とに基づいて当業者が容易に発明をすることができたものである
　
５．むすび
　以上のとおり、本願発明は、引用例１及び２に記載された発明と前記周知の技術とに基づいて当業者が容易に発明をすることができたものであるから、特許法第２９条第２項の規定により特許を受けることができない。
　よって、結論のとおり審決する。